(57)【要約】【課題】多版画像を多版情報を具備した単版画像に変換する画像処理方法および装置、多版情報を具備した単版画像を多版画像に逆変換する画像処理方法および装置を提供する。【解決手段】多版画像を読み取る読み取り手段と、該読み取り手段にて読み取った前記多版画像を多版画像の情報を具備した単版画像に変換する画像変換手段を用いる。画像変換手段は、変換後に表示される領域を、情報として認識したい色（例えば、イエローＹ、マゼンタＭ、シアンＣ、ブラックＫ）の数の４領域（右上、右下、左上、左下）に分割し、情報として認識したい色毎に異なった分割領域を割り当て（Ｙは右下、Ｍは左下、Ｃは左上、Ｋは右上）、割り当てた分割領域に単色で表示する。例えば、注目画素の色がイエローＹである場合、分割した４つの領域のうち、右下の領域をブラックＫ単色で表示する。【選択図】図１
2006287834.tif 000002
【特許請求の範囲】
【請求項１】
多版画像を読み取る読み取り手段と、該読み取り手段にて読み取った前記多版画像を多版画像の情報を具備した単版画像に変換する画像変換手段を用いる画像処理方法において、前記画像変換手段は、変換後に表示される領域を、情報として認識したい色の数以上の領域に分割し、情報として認識したい色毎に異なった分割領域を割り当て、該割り当てた分割領域に単版で表示することを特徴とする画像処理方法。
【請求項２】
前記分割領域のサイズは、明度に応じて分割したものであることを特徴とする請求項１に記載の画像処理方法。
【請求項３】
前記情報として認識したい色の数は、Ｎ（ただし、Ｎは２以上の整数）であることを特徴とする請求項１または２に記載の画像処理方法。
【請求項４】
前記情報として認識したい色の数は、３であることを特徴とする請求項１または２に記載の画像処理方法。
【請求項５】
前記情報として認識したい色の数は、４であることを特徴とする請求項１または２に記載の画像処理方法。
【請求項６】
前記画像変換手段は、画像を変換する際に注目する画素領域と画素領域の間に一定の距離を設けることを特徴とする請求項１乃至５いずれかに記載の画像処理方法。
【請求項７】
請求項１乃至６いずれかに記載の画像処理方法を用いて画像を形成することを特徴とする画像形成方法。
【請求項８】
請求項１乃至６いずれかに記載の画像処理方法により変換された単版画像を、多版画像に変換する画像逆変換手段を用いる画像処理方法において、前記画像逆変換手段は、前記単版画像が表示された前記分割領域の場所の情報から多版画像に変換することを特徴とする画像処理方法。
【請求項９】
多版画像を読み取る読み取り手段と、該読み取り手段にて読み取った前記多版画像を多版画像の情報を具備した単版画像に変換する画像変換手段と、前記多版画像の情報を具備した単版画像を多版画像に変換する画像逆変換手段を用いる画像処理方法において、前記画像変換手段は、変換後に表示される領域を、情報として認識したい色の数以上の領域に分割し、情報として認識したい色毎に異なった分割領域を割り当て、該割り当てた分割領域に単版で表示する変換手段であり、前記画像逆変換手段は、前記単版画像が表示された領域の場所の情報から多版画像に変換することを特徴とする画像処理方法。
【請求項１０】
請求項９に記載の画像処理方法において、前記分割領域のサイズは、明度に応じて分割したものであることを特徴とする画像処理方法。
【請求項１１】
多版画像を読み取る読み取り手段と、該読み取り手段にて読み取った前記多版画像を多版画像の情報を具備した単版画像に変換する画像変換手段を有する画像処理装置において、前記画像変換手段は、変換後に表示される領域を、情報として認識したい色の数以上の領域に分割し、情報として認識したい色毎に異なった分割領域に単版で表示することを特徴とする画像処理装置。
【請求項１２】
前記分割領域のサイズは、明度に応じて分割したものであることを特徴とする請求項１１に記載の画像処理装置。
【請求項１３】
前記情報として認識したい色の数は、Ｎ（ただし、Ｎは２以上の整数）であることを特徴とする請求項１１または１２に記載の画像処理装置。
【請求項１４】
前記情報として認識したい色の数は、３であることを特徴とする請求項１１または１２に記載の画像処理装置。
【請求項１５】
前記情報として認識したい色の数は、４であることを特徴とする請求項１１または１２に記載の画像処理装置。
【請求項１６】
前記画像変換手段は、画像を変換する際に注目する画素領域と画素領域の間に一定の距離を設けることを特徴とする請求項１１乃至１５いずれかに記載の画像処理装置。
【請求項１７】
請求項１１乃至１６のいずれかに記載の画像処理装置を有し、画像を記録することを特徴とする画像記録装置。
【請求項１８】
請求項１乃至６，８乃至１０のいずれかに記載の画像処理方法をコンピュータに実現させることを特徴とするプログラム。
【請求項１９】
請求項１８に記載のプログラムを記録したことを特徴とするコンピュータ読み取り可能な記録媒体。
【発明の詳細な説明】
【技術分野】
【０００１】
本発明は、カラー複写機、カラーファクシミリ装置等のカラー画像形成装置に用いられるカラー画像処理方法、画像処理装置等に関し、より詳しくは、多版画像を多版画像の情報を具備した単版画像に変換し、また、あらかじめ単版原稿中に具備する多版情報に基づいて、単版画像を多版画像に復元する画像処理方法、該画像処理方法を用いた画像形成方法、画像処理装置、該画像処理装置を搭載した画像記録装置、画像処理方法を実現するプログラム及び該プログラムを記録した記録媒体に関する。
【背景技術】
【０００２】
従来、カラー原稿を複写保存する場合には、カラー複写機を用いてカラーコピーを行い、複写されたカラー複写物を保存するのが一般的である。
また、カラー原稿を複写して配布する場合にも、カラー複写機を用いてカラーコピーを行い、複写されたカラー複写物を配布するのが一般的である。さらに、この際に、複写されたカラー複写物を、カラー情報を維持したまま繰り返しコピーして配布、回覧する場合には、複写を行う度に、全ての複写過程でカラー複写機を使用する必要がある。
しかしながら、実際のオフィス環境においては、資料を大量に配布する場合は、コスト、印刷スピード等を考慮して、カラー画像をコピーして白黒画像として使用する場合が多い。そして、最終的な資料を配付する場合に、再度、カラー画像として出力したいが、手元にある資料が白黒画像であるため、カラー画像として出力することができないということがあった。
【０００３】
そこで、特許文献１には、（１）白黒の画像情報を入力して、あらかじめ設定された基準位相を持った基準位相信号と、エッジの位相との位相差によって、色信号を発生することによって、カラー情報（所定の位相を有するパターン）に基づいて、白黒複写物が元のカラー複写物に変換・復元されることが開示されている。また、同特許文献１には、（２）半径検知手段が、白黒の画像情報中に記録されている円パターンの半径の大きさを検知すると、色信号発生手段が前記検知した半径の大きさに基づいて色信号を発生し、一方、円パターン消去手段が、白黒の画像情報を入力して白黒の画像情報中に存在する所定の半径を有する円パターンを消去する。その後、画像合成手段が、円パターン消去手段で消去した後の画像情報に前記色信号発生手段の発生した色信号を合成することにより、所定の半径を有する円パターンが対応する色信号に置き換えられる。換言すれば、カラー情報（所定の半径を有する円パターン）に基づいて、白黒複写物が元のカラー複写物に変換・復元されることが開示されている。
【０００４】
しかしながら、（１）では、（図２に表示されているように白黒画像の階調性が損なわれたり、色が切り替わる領域が不明瞭となる）という不具合が生じる。また、（２）では、円パターンの半径の大きさによって、各色情報を管理しているので、読み取りの精度によって元画像が判別しにくいという不具合が生じる。
【０００５】
また、電子透かし埋め込み技術として、濃度パターン法を用いた電子透かし埋め込み方法などが知られている。この技術は、１画素をいくつかのマイクロドットパターン（マス、セル）に分けておくことで、本来は白黒２値情報しか持たない画素に階調情報を持たせる方法であり、複数のパターンがある輝度レベルは、選択の余地（自由度）を有するので、この自由度を透かし情報の埋め込みに利用することが知られている。
濃度パターン法を用いた電子透かしは、例えば、元情報に左右されないシリアルナンバーなどの情報を一部に埋め込んで、秘密に管理することを目的とするものである。しかしながら、電子透かし埋め込み技術として単版画像に多版画像の情報を付与することは開示されていない。
【０００６】
また、特許文献２には、ハッチング情報を色情報に変換する画像処理装置について開示されているが、モノクロ情報をカラー情報に変換し、ハッチング毎に違いを出すために異なる色情報に変換するものであり、単版で表示するものではない。さらに、もともとのハッチング情報は多版情報（色情報を格納したもの）ではなく、単なる単版情報であるため、多版情報を多版情報を具備した単版情報に変換する本願の発明とは大きく異なる。
【０００７】
さらに、特許文献３には、色情報および濃度情報をある特定のパターン情報（例えばハッチングされたもの）を色情報および色の濃度情報に変換することが開示されているが、多版情報を多版情報を具備した単版情報に変換するものではない。
【０００８】
また、特許文献４には、文字サイズと色との対応を示す情報に基づいてカラー画像に変換する文書画像処理装置について開示されているが、文字サイズに依存するものであり、文字サイズを判別することなく多版情報を多版情報を具備した単版情報に変換するものではない。
【特許文献１】特開平８−１２５８７７号公報
【特許文献２】特開平３−１４７０１７号公報
【特許文献３】特開平６−２０８３５７号公報
【特許文献４】特開平７−１２１７３３号公報
【発明の開示】
【発明が解決しようとする課題】
【０００９】
本発明は前記従来技術が有する問題点に鑑みてなされたもので、多版画像を多版情報を具備した単版画像に変換することが可能な画像処理装置、また多版情報を具備した単版画像を多版画像に逆変換することが可能な画像処理装置、画像処理装置を搭載した画像形成装置、画像処理方法、該画像処理方法を用いた画像形成方法、画像処理方法をコンピュータに実行させるプログラム、および該プログラムを記録した記録媒体を提供することを課題とする。
【課題を解決するための手段】
【００１０】
請求項１の発明は、多版画像を読み取る読み取り手段と、該読み取り手段にて読み取った前記多版画像を多版画像の情報を具備した単版画像に変換する画像変換手段を用いる画像処理方法において、前記画像変換手段は、変換後に表示される領域を、情報として認識したい色の数以上の領域に分割し、情報として認識したい色毎に異なった分割領域を割り当て、該割り当てた分割領域に単版で表示することを特徴とする。
【００１１】
請求項２の発明は、請求項１に記載の画像処理方法において、前記分割領域のサイズは、明度に応じて分割したものであることを特徴とする。
【００１２】
請求項３の発明は、請求項１または２に記載の画像処理方法において、前記情報として認識したい色の数は、Ｎ（ただし、Ｎは２以上の整数）であることを特徴とする。
【００１３】
請求項４の発明は、請求項１または２に記載の画像処理方法において、前記情報として認識したい色の数は、３であることを特徴とする。
【００１４】
請求項５の発明は、請求項１または２に記載の画像処理方法において、前記情報として認識したい色の数は、４であることを特徴とする。
【００１５】
請求項６の発明は、請求項１乃至５いずれかに記載の画像処理方法において、前記画像変換手段は、画像を変換する際に注目する画素領域と画素領域の間に一定の距離を設けることを特徴とする。
【００１６】
請求項７の発明は、請求項１乃至６いずれかに記載の画像処理方法を用いて画像を形成する画像形成方法であることを特徴とする。
【００１７】
請求項８の発明は、請求項１乃至６いずれかに記載の画像処理方法により変換された単版画像を、多版画像に変換する画像逆変換手段を用いる画像処理方法において、前記画像逆変換手段は、前記単版画像が表示された前記分割領域の場所の情報から多版画像に変換する画像処理方法であることを特徴とする。
【００１８】
請求項９の発明は、多版画像を読み取る読み取り手段と、該読み取り手段にて読み取った前記多版画像を多版画像の情報を具備した単版画像に変換する画像変換手段と、前記多版画像の情報を具備した単版画像を多版画像に変換する画像逆変換手段を用いる画像処理方法において、前記画像変換手段は、変換後に表示される領域を、情報として認識したい色の数以上の領域に分割し、情報として認識したい色毎に異なった分割領域を割り当て、該割り当てた分割領域に単版で表示する変換手段であり、前記画像逆変換手段は、前記単版画像が表示された領域の場所の情報から多版画像に変換することを特徴とする。
【００１９】
請求項１０の発明は、請求項９に記載の画像処理方法において、前記分割領域のサイズは、明度に応じて分割したものであることを特徴とする。
【００２０】
請求項１１の発明は、多版画像を読み取る読み取り手段と、該読み取り手段にて読み取った前記多版画像を多版画像の情報を具備した単版画像に変換する画像変換手段を有する画像処理装置において、前記画像変換手段は、変換後に表示される領域を、情報として認識したい色の数以上の領域に分割し、情報として認識したい色毎に異なった分割領域に単版で表示することを特徴とする。
【００２１】
請求項１２の発明は、請求項１１に記載の画像処理装置において、前記分割領域のサイズは、明度に応じて分割したものであることを特徴とする。
【００２２】
請求項１３の発明は、請求項１１または１２に記載の画像処理装置において、前記情報として認識したい色の数は、Ｎ（ただし、Ｎは２以上の整数）であることを特徴とする。
【００２３】
請求項１４の発明は、請求項１１または１２に記載の画像処理装置において、前記情報として認識したい色の数は、３であることを特徴とする。
【００２４】
請求項１５の発明は、請求項１１または１２に記載の画像処理装置において、前記情報として認識したい色の数は、４であることを特徴とする。
【００２５】
請求項１６の発明は、請求項１１乃至１５いずれかに記載の画像処理装置において、前記画像変換手段は、画像を変換する際に注目する画素領域と画素領域の間に一定の距離を設けることを特徴とする。
【００２６】
請求項１７の発明は、請求項１１乃至１６のいずれかに記載の画像処理装置を有し、画像を記録する画像記録装置であることを特徴とする。
【００２７】
請求項１８の発明は、請求項１乃至６，８乃至１０のいずれかに記載の画像処理方法をコンピュータに実現させるプログラムであることを特徴とする。
【００２８】
請求項１９の発明は、請求項１８に記載のプログラムを記録したコンピュータ読み取り可能な記録媒体であることを特徴とする。
【発明の効果】
【００２９】
本発明は、多版画像を読み取る読み取り手段と、該読み取り手段にて読み取った前記多版画像を多版画像の情報を具備した単版画像に変換する画像変換手段を用いる画像処理方法において、前記画像変換手段は、変換後に表示される領域を、情報として認識したい色の数以上の領域に分割し、情報として認識したい色毎に異なった分割領域を割り当て、該割り当てた分割領域に単版で表示するので、多版画像ごとに異なった分割領域に単色で表示することが可能となり、読み取り手段にて読みとった多版画像を、多版画像の情報を具備した単版画像に変換することができる。したがって、実際のオフィス環境において、資料を大量に配布するような場合、コスト、印刷スピード等を考慮して、カラー画像をコピーして白黒画像として使用し、最終的な資料を配付する場合に、手元にある白黒画像の資料を元にして、カラー画像として出力するといったことが可能になる。
【００３０】
また、多版ごとに異なった分割領域に単版で表示するようにすると、注目画素が二次色（Ｇ、Ｒ、Ｂ）の場合の表現も可能となる。
【００３１】
さらに、画像変換手段において、変換後の注目画素領域に対応する分割領域同士の間に読み取りの解像度に応じた間隔を取るように設定しておくことにより、画像変換手段で変換した画像を読み取る際に、正確に読み取ることが可能となる。
【００３２】
また、多版情報を多版情報を具備した単版情報に変換する場合に、グラフなどの画像に制約されたり、文字にのみ適用されるといった制約を受けたりすることなく変換することが可能となる。
【発明を実施するための最良の形態】
【００３３】
以下、本発明の実施の形態を詳細に説明する。
本発明は、多版画像を多版情報を具備した単版画像に変換することが可能な画像処理方法および装置、多版情報を具備した単版画像を多版画像に逆変換することが可能な画像処理方法および装置を提供することを目的とし、そのため、本発明は、多版画像を読み取る読み取り手段と、該読み取り手段にて読み取った前記多版画像を多版画像の情報を具備した単版画像に変換する画像変換手段を用いる画像処理方法において、前記画像変換手段は、変換後に表示される領域を、情報として認識したい色の数以上の領域に分割し、情報として認識したい色毎に異なった分割領域を割り当て、割り当てた分割領域に単版で表示する。
次に、読み取った多版画像を多版画像の情報を具備した単版画像に変換する変換手段について、実施例とともに説明するが、もちろん、本発明は実施例の構成に限定されるものではない。
【実施例１】
【００３４】
実施例１の画像処理方法及び画像処理装置について説明する。
図１は、多版画像を、多版画像の情報を具備した単版画像に変換するパターンを示す図である。なお、読み取った領域のうち、変換手段について理解し易く説明するために、１×１の画素に注目する。（以下、この画素領域を注目画素領域と呼ぶ場合がある。）
読み取る多版画像が６００ｄｐｉの２値画像であって、その画像を１２００ｄｐｉの２値画像に変換する場合について説明する。
ここで、情報として認識したい色の数が４色（イエロー（Ｙ）、マゼンタ（Ｍ）、シアン（Ｃ）、ブラック（Ｋ））であり、分割する領域を４つとして、単色で表示する場合について考える。
【００３５】
６００ｄｐｉの１×１の画素を２×２の画素に分割して１２００ｄｐｉとする。分割する領域は、図１のように４つの領域（右上、右下、左上、左下）とする。
図１のように注目画素の色がＹである場合は、上述のとおり分割した４つの領域のうち、右下の領域をＫ単色で表示する。同様に、注目画素の色がＭである場合は左下の領域をＫ単色で表示し、Ｃである場合は左上の領域をＫ単色で表示し、Ｋである場合は右上をＫ単色で表示する。
一般的には、注目画素の位置がｉ行，ｊ列である場合、読み取る画素の色がイエローＹの場合は、読み取った後、２ｉ＋１行，２ｊ＋１列にブラックＫで表示し、またマゼンタＭの場合は、２ｉ＋１行，２ｊ列にブラックＫで表示し、読み取るがその色がブラックＫの場合は、２ｉ行，２ｊ＋１列にブラックＫで表示し、シアンＣの場合は２ｉ行，２ｊ列にブラックＫで表示する。
【００３６】
ここで、実施例１としてはブラックＫで表示したが、単版であればレッドＲでもブルーＢなどでも良い。また、ここでいう単色とは濃度変化があっても良い。このようにして、多版画像ごとに異なった分割領域に単色で表示することが可能となり、読み取り手段にて読みとった多版画像を、多版画像の情報を具備した単版画像に変換することができる。ここで、読み取り手段としては、スキャナなどが用いられる。
【００３７】
また、多版ごとに異なった分割領域に単版で表示するようにすると、注目画素が二次色（Ｇ、Ｒ、Ｂ）の場合の表現も可能となる。
図２〜４は、注目画素が一時色及び二次色である場合に、多版画像を、多版画像の情報を具備した単版画像に変換するパターンを示す図である。
例えば、注目領域がグリーンＧである場合、図３（ｆ）のように、シアンＣとイエローＹの領域に対応した左上部、右下部を単色で表示することによって、グリーンＧの情報を具備した単色画像を表示することができる。ブルーＢ、レッドＲである場合も同様に対応可能である。（図３（ｅ）、（ｇ）参照。）
また、ＹＭＣ、ＲＧＢにブラックＫを組み合わせた情報を具備し単版で表示することも可能である。（図３（ｈ）〜図４（ｍ）参照。）
また、注目画素がブラックＫである場合、４分割した領域のうち、図１のように右上をＫ単色で表示しても良いが、４分割した領域全てをＫ単色で表示するものとしても良い。（図２（ｄ）参照）
【００３８】
通常、多版画像を単版画像に複写など行う場合は、明度に応じてドットを形成している。そのため、本発明においては、明度の高低に応じて分割領域のサイズ（ドット数の大小）を設定することが好ましい。例えば、明度が高いイエローＹは、ドットの数が少なく白っぽい感じとなり、明度が低いブルーＢは、ドットの数が多く黒っぽい感じとなる。
したがって、Ｙ、Ｍ、Ｃ、Ｋ、Ｇ、Ｂ、Ｒにおいて、明度の大小は、Ｋ＜Ｍ＜Ｒ＜Ｂ＜Ｃ＜Ｇ＜Ｙであるため、ドットの個数の大小は、Ｋ＞Ｍ＞Ｒ＞Ｂ＞Ｃ＞Ｇ＞Ｙとする。
【００３９】
図５〜７は、多版画像を、１６分割した領域を有する単版画像に変換するパターンを示す図である。
図５〜７には、例えば、Ｙ、Ｍ、Ｃ、Ｋ、Ｃ＋Ｍ（＝Ｂ）、Ｃ＋Ｙ（＝Ｇ）、Ｍ＋Ｙ（＝Ｒ）、Ｙ＋Ｋ（黒味がかったＹ）、Ｍ＋Ｋ（黒味がかったＭ）、Ｃ＋Ｋ（黒味がかったＣ）、Ｃ＋Ｍ＋Ｋ、Ｃ＋Ｙ＋Ｋ、Ｍ＋Ｙ＋Ｋの１３通りの表示方法が示されている。ここで、Ｃ＋Ｍ＋ＹはＫとして表示するものとする。
【００４０】
さらに、画像変換手段において、変換後の注目画素領域に対応する分割領域同士の間に読み取りの解像度に応じた間隔を取るように設定しておけば、画像変換手段で変換した画像を読み取る際に、正確に読み取ることが可能となる。
【実施例２】
【００４１】
次に、多版情報を具備した単版画像を多版画像に変換する実施例２の画像処理方法について説明する。多版画像の情報を、多版画像の情報を具備した単版画像の情報に変換する場合とは逆の変換となる。
図２〜４に示すような、Ｃ、Ｍ、Ｙ、Ｋ、６００ｄｐｉの２値画像を画像変換手段によって１２００ｄｐｉの２値画像単色Ｋで表示した画像を画像逆変換手段によって変換する場合について説明する。
ここで、画像逆変換手段は次のような変換手段であるとする。
図２（ｃ）に示されているように、４分割された領域のうち、右下部分が１２００ｄｐｉのＫ単色で表示されている場合は、画像変換手段による変換前の画像の色がＹであるという情報を示しているので、６００ｄｐｉのＹで表示する。
【００４２】
同様に左下部分が１２００ｄｐｉのＫ単色で表示されている場合は、画像変換手段による変換前の画像の色がＭであるという情報を示しているので、６００ｄｐｉのＭで表示し、左上部分が１２００ｄｐｉのＫ単色で表示されている場合は、画像変換手段による変換前の画像の色がＣであるという情報を示しているので、６００ｄｐｉのＣで表示し、右上部分が１２００ｄｐｉのＫ単色で表示されている場合は、画像変換手段による変換前の画像の色がＫであるという情報を示しているので、６００ｄｐｉのＫで表示する画像変換手段であるとする。
【００４３】
図８〜１０は、多版情報を具備した単版情報を、多版情報に逆変換するパターンを示す図である。
図８〜１０には、図５〜７で示すようにして、多版情報を、多版情報を具備した単版情報に変換したものを、多版情報に逆変換するパターンが示されている。例えば、図８（ａ）のパターンの場合は、４×４の領域全体をイエローで表示するものとする。図８（ｂ）〜図１０（ｍ）についても同様に表示する。
すなわち、実施例２の画像処理方法によれば、多版情報を、多版情報を具備した単版情報に変換する場合に、グラフなどの画像に制約されたり、文字にのみ適用されるといった制約を受けたりすることなく、変換することが可能となる。
【実施例３】
【００４４】
次に、本発明の実施例３のカラー画像処理装置について説明する。
図１１は、カラー画像処理装置の全体構成の概略を示すブロック図である。
実施例３の画像処理装置は、原稿上に表示された画像を読み取り、ＲＧＢ信号を出力するスキャナ部１０１、及びＣＭＹＫ信号を受信して印刷用紙上にカラー画像を再現するプリンタ部１０８と接続されている。
画像処理装置は、スキャナ部１０１から入力されたＲＧＢ・８ｂｉｔ信号はシェーディング補正処理部１０２にてシェーディング補正を行い、第１のモード選択部１０３へ出力される。
【００４５】
第１モード選択部１０３は、モード出力部１１４からのモード信号に応じてシェーディング補正部１０２より入力されたＲＧＢ・８ｂｉｔ信号の出力先を切り替える。モード出力部１１４はユーザが指示した次のモードに応じた信号を第１モード選択部１０３と第２モード選択部１０７へ出力する。また、モード出力部１１４は次のモードに応じてモード信号を出力する。
ｍｏｄｅ＝１：ノーマルモード
ｍｏｄｅ＝２：ＣＤ−ｉカラーモード
ｍｏｄｅ＝３：カラーＣＤ−ｉモード
【００４６】
ここで、ノーマルモードとは、多版画像を多版で印刷、いわゆるカラー原稿をカラー印刷で行うモードである。
ＣＤ−ｉカラーモードとは、多版情報を具備した単版画像から多版画像への変換、すなわちカラー画像に復元可能なモノクロ画像から、カラー画像に復元して印刷を行うモードである。
カラーＣＤ−ｉモードとは、多版画像を多版情報を具備した単版画像への変換、すなわちカラー画像をカラー画像に復元可能なモノクロ画像に変換して印刷を行うモードである。
【００４７】
第１モード選択部１０３は、モード出力部１１４より得られたモード信号がｍｏｄｅ＝１または３のときに、スキャナ部１０１から入力されたＲＧＢ・８ｂｉｔ信号をＲＧＢ→ＣＭＹＫ変換部１０４へ出力する。また、モード信号がｍｏｄｅ＝２のときに、ＲＧＢ・８ｂｉｔ信号をＲＧＢ→Ｋ変換部１０９へ出力する。
【００４８】
ＲＧＢ→ＣＭＹＫ変換部１０４は、式（１）に示すようにＲ・Ｇ・Ｂの最小値をＫ信号とし、ＣＭＹ信号は式（２）〜（４）に示すようにして、ＣＭＹＫ・８ｂｉｔ信号を生成し、γ補正部１０５へ出力する。
Ｋ＝ｍｉｎ（Ｒ、Ｇ、Ｂ）      ………（１）
Ｃ＝２５５−（Ｒ−Ｋ）        ………（２）
Ｍ＝２５５−（Ｇ−Ｋ）        ………（３）
Ｙ＝２５５−（Ｂ−Ｋ）        ………（４）
【００４９】
ＲＧＢ→Ｋ変換部１０９は、式（５）に示すようにＲ・Ｇ・Ｂ信号を加算し、７５５で除算した値の小数点以下を切り捨てて整数化したものをＫ信号とする。Ｒ＝Ｇ＝Ｂ＝２５５の場合のみＫ＝１となり、それ以外は０となる。このようにして作成したＫ・１ｂｉｔ信号をＫ→ＣＭＹＫ変換部１１０へ出力する。
Ｋ＝ｉｎｔ（（Ｒ＋Ｇ＋Ｂ）／７６５）      ………（５）
【００５０】
Ｋ→ＣＭＹＫ変換部１１０は、ＲＧＢ→Ｋ変換部１０９より得られたＫ・１ｂｉｔ信号を、例えば図８〜１０で表されるパターンマッチングによりＣＭＹＫ・１ｂｉｔ信号を生成し、２値メモリ部１１１へ出力する。
２値メモリ部１１１は、スキャナ部で１ライン読み込む画素数の３倍、３ラインの画像を保持することができ、図１２に示すように注目画素を中心とした３×３画素の信号・ＣＭＹＫ・１ｂｉｔ×９信号を２値多値変換部１１２へ出力する。
【００５１】
図１２は、注目画素を中心とした３×３画素を示す図である。
２値多値変換部１１２は、図１２に示すように注目画素を中心とした３×３画素の信号の各画素の値をＩ０〜Ｉ８とするとき、式（６）に示すように各画素の値Ｉ０〜Ｉ８を２５５倍したものを合計し、９で除算して小数点以下を切り捨てるようにして多値情報を生成する。式（６）にしたがい、ＣＭＹＫ・１ｂｉｔ×９信号からＣＭＹＫ・８ｂｉｔ信号を生成し、γ補正部１０５へ出力する。
Ｉ＝ｉｎｔ［｛（２５５×Ｉ０）＋（２５５×Ｉ１）＋（２５５×Ｉ２）
＋（２５５×Ｉ３）＋（２５５×Ｉ４）＋（２５５×Ｉ５）
＋（２５５×Ｉ６）＋（２５５×Ｉ７）＋（２５５×Ｉ８）｝／９］………（６）
【００５２】
γ補正部１０５は、ＲＧＢ→ＣＭＹＫ変換部１０４や２値多値変換部１１２から得られたＣＭＹＫ・８ｂｉｔ信号をプリンタ部１０８の状態やドットゲイン等を考慮したγ補正を行い、ＣＭＹＫ・８ｂｉｔ信号を２値化処理部１０６へ出力する。２値化処理部１０６は、γ補正部１０５より得られたＣＭＹＫ・８ｂｉｔ信号をディザ処理、平均誤差最小法や誤差拡散などの中間調処理を用いて２値化し、ＣＭＹＫ・１ｂｉｔ信号を第２モード選択部１０７へ出力する。
【００５３】
第２モード選択部１０７は、モード出力部１１４より得られたモード信号がｍｏｄｅ＝１または２のときに、２値化処理部１０６から入力されたＣＭＹＫ・１ｂｉｔ信号をプリンタ部１０８へ出力する。また、モード信号がｍｏｄｅ＝３のときに、ＣＭＹＫ・１ｂｉｔ信号をＣＭＹＫ→Ｋ変換部１１３へ出力する。
ＣＭＹＫ→Ｋ変換部１１３は、例えば図５〜７で示されるパターンマッチングによりＫ・１ｂｉｔ信号を生成し、プリンタ部１０８へ出力する。
【００５４】
なお、本発明は、複数の機器（例えば、ホストコンピュータ、インタフェース機器、リーダ、プリンタなど）から構成されるシステムに適用しても、１つの機器からなる装置（例えば、複写機、ファクシミリ装置など）に適用してもよい。
複数の異なる画像処理装置においても画像変換手段、画像逆変換手段を共通なものとすれば、異なる画像処理装置において多版画像を多版情報を具備した単版画像に変換したり、多版情報を具備した単版画像を多版画像に変換したりすることが可能となる。
【００５５】
また、本発明の課題は、前記した実施例の機能を実現するソフトウェアのプログラムコードを記録した記憶媒体を、システムあるいは装置に供給し、そのシステムあるいは装置のコンピュータ（ＣＰＵやＭＰＵ）が記憶媒体に格納されたプログラムコードを読出し実行することによっても、達成されることは言うまでもない。この場合、記憶媒体から読出されたプログラムコード自体が前述した実施例の機能を実現することになる。
プログラムコードを供給するための記憶媒体としては、例えば、フレキシブルディスク、ハードディスク、光ディスク、光磁気ディスク、磁気テープ、不揮発性のメモリカード、ＲＯＭなどを用いることができる。
【００５６】
また、コンピュータが読出したプログラムコードを実行することにより、前記した実施例の機能が実現されるだけでなく、そのプログラムコードの指示に基づき、コンピュータ上で稼働しているＯＳ（オペレーティングシステム）などが実際の処理の一部または全部を行い、その処理によって前記した実施例の機能が実現される場合も含まれることは言うまでもない。
【００５７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５８】
図１３は、画像記録装置としてのデジタルカラー複写機の機構部を示す断面図、図１４は、デジタルカラー複写機の操作部を示す図である。
デジタルカラー複写機において、複写機本体の上部に設けられた自動原稿送り装置（ＡＤＦ）１の原稿台２に原稿の画像面を上にして原稿束を載置し、図１４に示す操作部７０上のプリントスタートキー７１を押下すると、一番下に位置する原稿は給送ローラ３、給送ベルト４によってコンタクトガラス６上の所定の位置に給送され、１枚の原稿の給送が完了すると、原稿枚数をカウントアップするカウント機能を有している。給送された原稿は、読み取りユニット５０によってコンタクトガラス６上の原稿の画像データを読み取り、読み取りが終了した原稿は、給送ベルト４及び排送ローラ５によって排出される。さらに、原稿セット検知装置７にて原稿台２に次の原稿が有ることを検知した場合、前原稿と同様にコンタクトガラス６上に給送される。給送ローラ３、給送ベルト４、排送ローラ５は搬送モータによって駆動される。
【００５９】
第１トレイ８、第２トレイ９、第３トレイ１０に積載された転写紙は、各々第１給紙装置１１、第２給紙装置１２、第３給紙装置１３によって給紙され、縦搬送ユニット１４によってイエローの感光体１５Ｙに当接する位置まで搬送される。読み取りユニット５０にて読み込まれたイエロー、シアン、マゼンタ、黒の画像データは、書き込みユニット５７から射出されるレーザを変調し、変調されたレーザによってイエロー、シアン、マゼンタ、黒の感光体１５Ｙ、１５Ｃ、１５Ｍ、１５Ｋに画像データの潜像が書き込まれ、各感光体に設けられた現像ユニット１６Ｙ、１６Ｃ、１６Ｍ、１６Ｋを通過することによって各色のトナー像が形成される。そして、転写紙は各感光体１５Ｙ、１５Ｃ、１５Ｍ、１５Ｋの回転と等速で搬送ベルト１７によって搬送されながら、各感光体１５Ｙ、１５Ｃ、１５Ｍ、１５Ｋ上のトナー像が転写される。その後、定着ユニット１８にて画像を定着させ、排紙ユニット１９によって排紙トレイ２０に排出される。転写紙の両面に画像を作像する場合は、各給紙トレイ８〜１０から給紙され作像された転写紙を排紙トレイ２０側に導かないで、両面入紙搬送路２３に搬送し、反転ユニット２２でスイッチバック反転し両面搬送ユニット２１に送る。両面搬送ユニット２１に送られた転写紙は再度縦搬送ユニット１４に送られて裏面に画像を印刷された後に排紙される。
【００６０】
また、転写紙を反転して排出する場合は上記で反転ユニット２２でスイッチバック反転した用紙を両面搬送ユニット２１に送らずに反転排紙搬送路２４に送り出して排紙する。感光体１５、現像ユニット１６、搬送ベルト１７、定着ユニット１８、排紙ユニット１９はメインモータによって駆動され、各給紙装置１１〜１３はメインモータの駆動を各々によって伝達駆動される。縦搬送ユニット１４はメインモータの駆動を中間クラッチによって伝達駆動される。
【００６１】
画像形成装置の原稿読み取りから、画像の書き込みまでの動作について説明する。
読み取りユニット５０は、原稿を載置するコンタクトガラス６と光学走査系で構成されており、光学走査系には、露光ランプ５１、第１ミラー５２、レンズ５３、ＣＣＤイメージセンサ５４、第２ミラー５５、第３ミラー５６等で構成されている。露光ランプ５１及び第１ミラー５２は、図示しない第１キャリッジ上に固定され、第２ミラー５５及び第３ミラー５６は図示しない第２キャリッジ上に固定されている。原稿像を読み取るときには、光路長が変わらないように、第１キャリッジ、第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。
【００６２】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。書き込みユニット５７から出力されるイエロー、シアン、マゼンタ、黒の画像データで変調されたレーザ光が、画像作像系のイエロー、シアン、マゼンタ、黒の感光体１５Ｙ、１５Ｃ、１５Ｍ、１５Ｋに照射される。図示しないが各感光体１５Ｙ、１５Ｃ、１５Ｍ、１５Ｋの一端近傍のレーザビームを照射される位置に、主走査同期信号を発生するビームセンサが配置されている。
【００６３】
以上、本発明の実施例について説明したが、前記実施例は本発明の好適な１例を示すものであり、本発明はそれに限定されるものではなく、その要旨を逸脱しない範囲内において、種々変形実施が可能である。
【図面の簡単な説明】
【００６４】
【図１】多版画像を、多版画像の情報を具備した単版画像に変換するパターンを示す図である。
【図２】注目画素が一時色及び二次色である場合に、多版画像を、多版画像の情報を具備した単版画像に変換するパターンを示す図である。
【図３】図２から続く図である。
【図４】図３から続く図である。
【図５】多版画像を、１６分割した領域を有する単版画像に変換するパターンを示す図である。
【図６】図５から続く図である。
【図７】図６から続く図である。
【図８】多版情報を具備した単版情報を、多版情報に逆変換するパターンを示す図である。
【図９】図８から続く図である。
【図１０】図９から続く図である。
【図１１】カラー画像処理装置の全体構成の概略を示すブロック図である。
【図１２】注目画素を中心とした３×３画素を示す図である。
【図１３】画像記録装置としてのデジタルカラー複写機の機構部を示す断面図である。
【図１４】デジタルカラー複写機の操作部を示す上面図である。
【符号の説明】
【００６５】
１…自動原稿送り装置（ＡＤＦ）、２…原稿台、３…給送ローラ、４…給送ベルト、５…排送ローラ、６…コンタクトガラス、７…原稿セット検知装置、８…第１トレイ、９…第２トレイ、１０…第３トレイ、１１…第１給紙装置、１２…第２給紙装置、１３…第３給紙装置、１４…縦搬送ユニット、１５…感光体、１６…現像ユニット、１７…搬送ベルト、１８…定着ユニット、１９…排紙ユニット、２０…排紙トレイ、２１…両面搬送ユニット、２２…反転ユニット、２３…両面入紙搬送路、２４…反転排紙搬送路、５０…読み取りユニット、５１…露光ランプ、５２…第１ミラー、５３…レンズ、５４…ＣＣＤイメージセンサ、５５…第２ミラー、５６…第３ミラー、５７…書き込みユニット、５８…レーザ出力ユニット、５９…結像レンズ、６０…ミラー、７０…操作部、７１…プリントスタートキー、１０１…スキャナ部、１０２…シェーディング補正処理部、１０３…第１モード選択部、１０４…ＲＧＢ→ＣＭＹＫ変換部、１０５…γ補正部、１０６…２値化処理部、１０７…第２モード選択部、１０８…プリンタ部、１０９…ＲＧＢ→Ｋ変換部、１１０…Ｋ→ＣＭＹＫ変換部、１１１…２値メモリ部、１１２…２値多値変換部、１１３…ＣＭＹＫ→Ｋ変換部、１１４…モード出力部。
【図１】
2006287834.tif 000003
【図２】
2006287834.tif 000004
【図３】
2006287834.tif 000005
【図４】
2006287834.tif 000006
【図５】
2006287834.tif 000007
【図６】
2006287834.tif 000008
【図７】
2006287834.tif 000009
【図８】
2006287834.tif 000010
【図９】
2006287834.tif 000011
【図１０】
2006287834.tif 000012
【図１１】
2006287834.tif 000013
【図１２】
2006287834.tif 000014
【図１３】
2006287834.tif 000015
【図１４】
2006287834.tif 000016